(57)【要約】【課題】  カメラの前方の現場箇所を捉え、その像をフィルムの領域部分に結像させる主撮影光学系と、ハウジングから離れたカメラの前方箇所において工事の各種仕様情報が記載された紙片を保持する紙ホルダと、該紙ホルダの紙保持部に保持された紙片を捉え、その像をフィルムの領域に結像される副撮影光学系を設ける必要がある。【解決手段】  カメラホルダー本体１の一端側にＬ型カメラ取付金具３を設け、カメラホルダー本体１の下部中央に手持ちハンドルを設け、カメラホルダー本体１の逆一端側にスライドアーム２を収納しスライドアーム２の至端には左右動可能なＬ型名板取付金具４を設置し、Ｌ型名板取付金具４の側面板１７に名板ホルダースライド金具５と、から構成されたことを特徴とする。【選択図】図１
2005078063.tif 000002
【特許請求の範囲】
【請求項１】
カメラホルダー本体１の下部に手持ちハンドル６を設置し、カメラホルダー本体１の一端側に伸縮可能なスライドアーム２を伸縮自在に嵌め込み、カメラホルダー本体１の一端側の側面部にスライド可能なＬ型カメラ取り付け金具３を設け、さらにスライドアーム２の他端上部に左右動可能なＬ型名板取付金具４を設け、Ｌ型名板取付金具４にスライド可能な名板ホルダースライド金具５を設けた工事現場状況撮影カメラホルダー。
【請求項２】
名板ホルダースライド金具５は、ホワイトボード固定枠２６とスライド板２５とから構成され、スライド板２５の一端にはホワイトボード固定枠２６を回動可能に軸支されたことを特徴とする名板ホルダースライド金具５。
【発明の詳細な説明】
【技術分野】  本発明は、工事現場等で工事現場の工事場所、工事内容、工事期間等をカメラでより簡潔に記録するために使用する工事現場用状況撮影カメラホルダーに関するものである。
【背景技術】  図８は、特開平７−２１９０２２号の工事現場撮影用カメラを示し、この従来のカメラは、カメラ１の前方の現場箇所を捉え、その像をフィルム３の領域部分３３０１に結像される主撮影光学系１７と、ハウジング１１から離れたカメラ１の前方箇所において工事の各種仕様情報が記載された紙片５を保持する紙ホルダ１５と、該紙ホルダ１５の紙保持部１５０５に保持された紙片５を捉え、その像をフィルム３の領域部分３３０３に結像させる副撮影光学系１９を設ける必要がある。【特許文献１】「特開２００１−２２３０９」
【特許文献２】「特開平７−１０４３７９」
【特許文献３】「特開平７−２１９０２２」
【発明の開示】
【発明を解決しようとする課題】
しかし、前記のように工事現場の詳細内容を記録する場合、既成品のカメラとは違い特別な構成を必要として通常のカメラでは使用不可能である。  本発明は上記の問題を解決するためになされたもので、工事現場専用に創られたカメラを特別に用意することもなく、簡単に時間を掛けず撮影できる工事現場用状況撮影カメラホルダーを提供するものである。
【課題を解決するための手段】
本発明の工事現場用状況撮影カメラホルダーは、カメラホルダー本体の一端側にＬ型カメラ取付金具を設け、カメラホルダー本体の下部に手持ちハンドルを設け、カメラホルダー本体の他端側にスライドアームを収納し、スライドアームの一端には左右動可能なＬ型名板取付金具を設置し、Ｌ型名板取付金具の側面板に名板ホルダースライド金具を設けた事を特徴としている。  即ち、工事内容撮影時はＬ型カメラ取付金具にカメラを締結し、名板ホルダー取付金具にホワイトボードを装着することで簡易に撮影することが出来る。
【発明の効果】
以上のように本発明によれば、特別な構成を必要とする工事現場用カメラを使用せず、既製品のカメラでも簡易に工事内容を撮影することが可能になる。
【発明を実施するための最良の形態】  以下、本発明の工事現場用状況撮影カメラホルダーの実施の形態を図面にて説明する。  図１は工事現場用状況撮影カメラホルダーの斜視図、図２はＬ型カメラ取付金具３の部品図、図３はカメラホルダー本体１及びスライドアーム２の部品図、図４はＬ型名板取付金具の部品図、図５は、名板ホルダースライド金具５の部品図、図６は、工事現場用状況撮影用カメラホルダーの使用状態図を示している。  工事現場用状況撮影カメラホルダーは、角パイプ状からなるカメラホルダー本体１と、前記のカメラホルダー本体１に伸縮自在に内嵌するスライドアーム２と、カメラホルダー本体１の末端に取り付けられたＬ型カメラ取付金具３と、スライドアーム２の先端に取り付けられた左右動可能なＬ型名板取付金具４と、Ｌ型名板取付金具４の突端に取り付けられた上下動可能な名板ホルダー取付金具５とから構成されている。  カメラホルダー本体１は、図３から示すように角パイプ状からなり下部中央に手持ちハンドルを締結するための穴１７が形成されており、片側面部の前後両端にはＬ型カメラ取付金具３及びスライドアーム２を締結するための穴１６、１８がそれぞれ形成されている。  Ｌ型カメラ取付金具３は、図２に示すように長方型上面板１２、長方型側面板１３とから構成され、長方型上面板１２、長方型側面板１３には中央長手方向に長穴１４，１５が形成されている。このＬ型カメラ取付金具３は、カメラホルダー本体１の側面に長方型側面板１３が当接し、逆Ｌ字状に長穴１５を介して締め付けボルト７によって取り付けられている。  スライドアー厶２は、角パイプ状からなり前方上部にＬ型名板取付金具４を締結するための穴１９がある。  Ｌ型名板取付金具４は、図４に示すように長方型底面板２０、長方型側面板２１とから構成され長方型底面板２０は長手方向に長穴２２が形成され、長方型側面板２１の長手両端側に穴２３、２４が設けられている。なお、長方型底面板２０の長穴２２は、長方型側面板が接合する側線とは逆の側線寄りに形成されている。  名板ホルダースライド金具５は、図５に示すように上下動スライド板２５、ホワイトボード固定枠２６とから構成され、上下動スライド板２５の片側面部にはホワイトボード固定枠２６を回動可能にする軸受け用穴３２、３３設けられており、ホワイトボード固定枠２６の片側面部にも回動可能にする軸受け用穴３４、３５が設けられている。上下動スライド板２５は両端に長穴２９、３０が設けられ、ホワイトボード固定枠２６の外周線には、断面コ字状のホワイトボート保持溝２７が設けられている。【０００６】  次に、本発明の使用状態を説明する。  Ｌ型カメラ取付金具３の長方型側面版１３の長穴１５とカメラホルダー本体１の穴１６とを位置合わせをして、カメラホルダー本体１にＬ型カメラ取付金具３を締め付けボルト７で逆Ｌ字型に締結する。またカメラホルダー本体１の先端からスライドアーム２をカメラホルダー本体１内に挿入し、カメラホルダー本体１の穴１８に締め付けボルト８で締結する。  カメラホルダー本体１の穴１７に手持ちハンドル６をねじ込む。  スライドアーム２の先端上部の穴１９とＬ型名板取付金具４の長方型底面板２０の穴２２と位置合わせをして、スライドアーム２にＬ型名板取付金具４締め付けボルト９で締結する。  Ｌ型名板取付金具４の長方型側面版２１の穴２３、２４と上下動スライド板２５に設けられている長穴２９、３０とを位置合わせをして、Ｌ型名板取付金具４と上下動スライド板２５とを締め付けボルト１０、１１で締結する。  上下動スライド板２５の片側面部の軸受け用穴３２、３３とホワイトボート固定枠２６の軸受け用穴３４、３５とを位置あわせをして、シャフト３１を貫通される。  本発明を使用するときは、Ｌ型カメラ取付金具３の長方型上面版１２にカメラ設置し、名板ホルダー取付金具５のホワイトボード固定枠１０にホワイトボード１１を装着し手持ちハンドル６を持って撮影することが出来る。なお、撮影時に応じてＬ型カメラ取付金具３、スライドアー厶２、Ｌ型名板取付金具４、名板ホルダー取付金具５はそれぞれに対応した締め付けボルトを緩めることにより調節が可能になっている。
【図面の簡単な説明】
【０００７】
【図１】は、本発明の工事現場用状況撮影カメラホルダーの斜視図である。
【図２】は、本発明の工事現場用状況撮影カメラホルダー部品図である。
【図３】は、本発明の工事現場用状況撮影カメラホルダー部品図である。
【図４】は、本発明の工事現場用状況撮影カメラホルダー部品図である。
【図５】は、本発明の工事現場用状況撮影カメラホルダー部品図である。
【図６】は、本発明の工事現場用状況撮影カメラホルダー使用状態図である。
【図７】は、本発明の工事現場用状況撮影カメラホルダー折りたたみ状態図である。
【図８】は、特開平７−２１９０２２の図である。
【符号の説明】
１    カメラホルダー本体２    スライドアーム３    Ｌ型カメラ取付金具４    Ｌ型名板取付金具５    名板ホルダー取付金具６    手持ちハンドル７    締め付けボルト８    締め付けボルト９    締め付けボルト１０  締め付けボルト１１  締め付けボルト１２  長方型上面版１３  長方形側面版２０  長方形底面版２１  長方形側面版２５  上下動スライド板２６  ホワイトボード固定枠３１  シャフト
【図１】
2005078063.tif 000003
【図２】
2005078063.tif 000004
【図３】
2005078063.tif 000005
【図４】
2005078063.tif 000006
【図５】
2005078063.tif 000007
【図６】
2005078063.tif 000008
【図７】
2005078063.tif 000009
【図８】
2005078063.tif 000010